(57)【特許請求の範囲】
【請求項１】
燃料インジェクター堆積物を低減する目的のためのディーゼル燃料配合物における少なくとも１つのＣ８−Ｃ１２アルカンの使用であって、前記ディーゼル燃料配合物は、さらなるディーゼル燃料成分を含み、前記Ｃ８−Ｃ１２アルカンは、０．１容量％以上及び最大５容量％までの濃度で存在する、前記使用。
【請求項２】
前記Ｃ８−Ｃ１２アルカンは、Ｃ１０−Ｃ１２アルカンである、請求項１に記載の使用。
【請求項３】
燃料インジェクター内部堆積物を低減するための、請求項１又は２に記載の使用。
【発明の詳細な説明】
【技術分野】
【０００１】
本発明は、ディーゼル燃料配合物に関し、より具体的には、低減されたインジェクター堆積物を有するディーゼル燃料配合物に関する。
【背景技術】
【０００２】
環境上の理由から、及びますます厳しくなる規制要求に従うために、低排出及び優れた燃費を有する自動車燃料提供することが必要である。圧縮着火エンジンにおいて、これらの２つの特性は、とりわけ、燃料噴射システムの効率的な稼働に依存する。燃料インジェクターに蓄積される何らかの堆積物は、インジェクターの効率を低下させ得、排出レベル、電力出力、及び燃費に悪影響をもたらし得る。
【０００３】
ディーゼル燃料の劣化は、「キャビテーション」として既知の工程によって引き起こされ得ることが既知である。キャビテーションは、液体に作用する力の結果である、液体中の空洞、すなわち、小さい液体を含まないゾーン（気泡）の形成及びその後の内破である。これは、圧力が比較的低い空洞の形成を引き起こす圧力の急速な変化を液体が受けるときに通常生じる。
【０００４】
理論によって制限されることを望まない一方で、燃料噴射機器の高圧力環境におけるキャビテーションのこの工程は、ディーゼル燃料の劣化ならびに燃料インジェクター及びフィルター上に、特に、燃料インジェクターの内面に、望ましくない堆積物の蓄積を最終的にもたらし得る。インジェクター内部堆積物（ＩＩＤ）またはディーゼルインジェクター内部堆積物（ＩＤＩＤ）としても既知のこれらの堆積物は、燃料の制御された送達に悪影響を及ぼし得、したがって、運転性及び維持の課題、排出の上昇、燃費の低減、ならびに電力の損失を引き起こし得る。
【０００５】
したがって、キャビテーションに起因する燃料劣化の重症度を低減させ、したがって、燃料由来の堆積物の量を低減させる、ディーゼル燃料を配合することが望ましい。
【発明の概要】
【０００６】
本発明に従い、燃料インジェクター堆積物、特に、インジェクター内部堆積物を低減させるためのディーゼル燃料組成物における少なくとも１つのＣ７−Ｃ３０アルカンの使用が提供される。
【０００７】
本明細書で使用されるとき、用語「インジェクター内部堆積物」及び「ディーゼルインジェクター内部堆積物」は、同じ意味で使用される。
【０００８】
本発明の別の態様に従い、フィルター堆積物を低減するためのディーゼル燃料組成物における少なくとも１つのＣ７−Ｃ３０アルカンの使用が提供される。
【０００９】
本発明のまたさらなる態様に従い、燃費を向上させるためのディーゼル燃料組成物における少なくとも１つのＣ７−Ｃ３０アルカンの使用が提供される。
【００１０】
本発明のまたさらなる態様に従い、排出を低減するためのディーゼル燃料組成物における少なくとも１つのＣ７−Ｃ３０アルカンの使用が提供される。
【００１１】
本発明のまたさらなる態様に従い、電力損失を低減するためのディーゼル燃料組成物における少なくとも１つのＣ７−Ｃ３０アルカンの使用が提供される。
【００１２】
本発明のまたさらなる態様に従い、運転性を向上させるためのディーゼル燃料組成物における少なくとも１つのＣ７−Ｃ３０アルカンの使用が提供される。
【発明を実施するための形態】
【００１３】
本明細書におけるディーゼル燃料組成物の必須成分は、少なくとも１つのＣ７−Ｃ３０アルカン、好ましくは、少なくとも１つのＣ８−Ｃ１８アルカン、より好ましくは、少なくとも１つのＣ８−Ｃ１２アルカン、特に、少なくとも１つのＣ１０−Ｃ１２アルカンである。用語「少なくとも１つのＣ７−Ｃ３０アルカン」は、１つのＣ７−Ｃ３０アルカンまたはＣ７−Ｃ３０アルカンの混合物を意味する。
【００１４】
本明細書での使用に適したＣ７−Ｃ３０アルカンは、オクタン、デカン、ドデカン、テトラデカン、ヘキサデカン、及びそれらの混合物を含む。本明細書での使用に好ましいＣ７−Ｃ３０アルカンは、オクタン、デカン、及びドデカン、ならびにそれらの混合物である。
【００１５】
本明細書における使用のためのＣ７−Ｃ３０アルカンは、粗製油由来、フィッシャー・トロプシュ由来（いわゆる、「ガス液化油」または「ＧＴＬ」燃料）を含むがこれらに限定されない、種々の供給源に由来し得るか、生物学的供給源に由来し得るか、または植物油、動物性脂肪、及び藻類油によって作製され得る。本発明に従うディーゼル燃料配合物におけるＣ７−Ｃ３０アルカンの総濃度は、好ましくは、０．１容量％以上及び最大９０容量％または最大１０容量％もしくは５容量％である。
【００１６】
本明細書におけるディーゼル燃料組成物は、Ｃ７−Ｃ３０アルカン（ｉ）に加えて、さらなるディーゼル燃料成分（ｉｉ）をさらに含む。本発明の文脈において、ディーゼル燃料配合物における少なくとも１つのＣ７−Ｃ３０アルカンの「使用」は、少なくとも１つのＣ７−Ｃ３０アルカンを、典型的には、さらなるディーゼル燃料成分（ｉｉ）とのブレンド（すなわち、物理的混合物）として配合物中に取り込むことを意味する。さらなる燃料成分（ｉｉ）が、いくつかのＣ７−Ｃ３０アルカン成分を既に含有し得ることは、当業者によって明らかである。上記に挙げたＣ７−Ｃ３０アルカンの濃度は、さらなる燃料成分とのブレンドとしてディーゼル燃料配合物中に添加されるＣ７−Ｃ３０アルカンの濃度を意味し、さらなる燃料成分（ｉｉ）中に既に存在する何らからのＣ７−Ｃ３０アルカンの濃度は含まない。
【００１７】
さらなるディーゼル燃料成分（ｉｉ）は、ディーゼル燃料配合物における使用に適した、したがって、圧縮着火（ディーゼル）エンジン内の燃焼に適した何らかの燃料成分であり得る。それは、典型的には、液体炭化水素中間留分燃料、より典型的には、ガス油である。それは、灯油燃料成分であり得る。それは、石油由来であり得る。それは、代替的に、合成であり得、例えば、フィッシャー・トロプシュ凝縮の生成物であり得る。それは、生物学的供給源に由来し得る（すなわち、バイオ燃料）。
【００１８】
バイオ燃料は、「ウェル・ツー・ホイール」（すなわち、供給源から燃焼まで）温室効果ガス排出の低減につながる、典型的には、生物学的供給源に由来する可燃性燃料である。圧縮着火エンジンで使用されるディーゼル燃料において、最も一般的なバイオ燃料は、脂肪酸アルキルエステル（ＦＡＡＥ）、特に、脂肪酸メチルエステル（ＦＡＭＥ）、例えば、ナタネ油メチルエステル、及びパーム油メチルエステルであり、これらは、従来のディーゼル燃料成分とのブレンドに使用される。
【００１９】
さらなる燃料成分（ｉｉ）は、典型的には、１５０または１８０〜３６０℃の範囲で煮沸する（ＡＳＴＭ  Ｄ８６またはＥＮ  ＩＳＯ  ３４０５）。４０〜７０または４０〜６５または５１〜６５もしくは７０の測定されたセタン価（ＡＳＴＭ  Ｄ６１３）を適切に有する。
【００２０】
本明細書における使用のための配合物は、２つ以上のさらなるディーゼル燃料成分（ｉｉ）の混合物を含有し得る。
【００２１】
配合物中の成分（ｉｉ）の濃度は、適切に、７０容量％以上、または７５もしくは８０もしくは８５容量％以上、または９０もしくは９２もしくは９５容量％以上であり得る。最大９８容量％または最大９５もしくは９２もしくは９０もしくは８５もしくは８０容量％であり得る。概して、燃料配合物の大部分を表す。Ｃ７−Ｃ３０アルカン（ｉ）及び何らかの任意の燃料添加物の包含後、成分（ｉｉ）は、典型的には、１００％までの残部を表す。
【００２２】
本明細書における燃料配合物は、適切に、５℃以下、または０℃以下、または−５もしくは−１０℃以下のＣＦＰＰ（ＩＰ３０９またはＥＮ１１６）を有する。それは、−１５℃以下、または−１８℃以下、または−２０もしくは−２５もしくは−３０もしくは−３５もしくは−４４℃以下のＣＦＰＰを有し得る。それは、適切に、０℃以下、または−５もしくは−１０℃以下、または−１２もしくは−１５もしくは−２０もしくは−２５もしくは−３０℃以下の曇り点（ＡＳＴＭ  Ｄ５７７３）を有する。それは、適切に、４０℃以上、または４５もしくは５０もしくは５５℃以上の引火点（ＡＳＴＭ  Ｄ９２またはＤ９３）を有する。
【００２３】
本明細書における配合物は、圧縮着火（ディーゼル）内燃エンジンでの使用に適しているべきである。そのようなエンジンは、高負荷または低負荷のいずれかであり得る。配合物は、特に、自動車ディーゼル燃料としての使用に適し得る。
【００２４】
一実施形態において、配合物は、ヨーロッパ（特に、スカンディナヴィア）または北米等のより寒い気候での使用のための「冬用」自動車ディーゼル燃料としての使用に適しているか、及び／または適応している。それは、特に、スカンディナヴィア北部等の極端な気候での使用のための、いわゆる「北極圏用」燃料であり得る。
【００２５】
さらなる実施形態において、配合物は、産業用ガス油として、または家庭用灯油としての使用に適し得るか、及び／または適応し得る。
【００２６】
配合物は、例えば、適切に、ＥＮ５９０（ヨーロッパの場合）またはＡＳＴＭ  Ｄ９７５（米国の場合）等の適用可能な現行の標準ディーゼル燃料規格に準拠する。例として、配合物全体は、１５℃で８２０〜８４５ｋｇ／ｍ３の密度（ＡＳＴＭ  Ｄ４０５２またはＥＮ  ＩＳＯ３６７５）、３６０℃以下のＴ９５沸点（ＡＳＴＭ  Ｄ８６またはＥＮ  ＩＳＯ３４０５）、５１以上の測定されたセタン価（ＡＳＴＭ  Ｄ６１３）、２〜４．５センチストークの４０℃での動粘性率（ＡＳＴＭ  Ｄ４４５またはＥＮ  ＩＳＯ３１０４）、５０ｍｇ／ｋｇ以下の硫黄含量（ＡＳＴＭ  Ｄ２６２２またはＥＮ  ＩＳＯ２０８４６）、及び／または１１重量％未満の多環芳香族炭化水素（ＰＡＨ）含量（ＩＰ３９１（係数））を有し得る。しかしながら、関連している規格は、国ごと及び年ごとに異なり得、かつ配合物の意図される使用に依存し得る。さらに、本発明に従う配合物は、全体的なブレンドの特性が、その個々の構成物の特性と多くの場合著しく異なり得るため、これらの範囲外の特性を有する燃料成分を含有し得る。
【００２７】
成分（ｉ）及び（ｉｉ）の相対濃度は、配合物全体に対して望ましい特性、例えば、望ましい最大ＣＦＰＰ及び／または曇り点及び／または望ましい最小引火点を達成するために選択され得る。したがって、相対濃度はまた、個々の成分の物理化学的特性にも依存する。
【００２８】
本明細書における使用のための燃料配合物は、ディーゼル燃料における使用に適した標準的な燃料または精油所の添加物を含有し得る。多くのそのような添加物は、既知であり、市販されている。
【００２９】
本明細書に記載されるディーゼル燃料配合物は、（ｉ）少なくとも１つのＣ７−Ｃ３０アルカン及び（ｉｉ）１つ以上のさらなるディーゼル燃料成分を、任意に、１つ以上の燃料添加物と一緒にブレンドすることを伴う工程によって調製される。工程は、少なくとも１，０００リットルの燃料配合物、または少なくとも５，０００もしくは１０，０００もしくは２５，０００リットル、または少なくとも５０，０００もしくは７５，０００もしくは１００，０００リットルの燃料配合物を生成するために使用され得る。
【００３０】
本明細書に記載されるディーゼル燃料配合物は、内燃エンジン、及び／または内燃エンジンによって駆動される乗り物を操作する方法において使用され、その方法は、本明細書に記載のようなディーゼル燃料配合物を、エンジンの燃焼室内に導入することを伴う。エンジンは、適切に、圧縮着火（ディーゼル）エンジンである。そのようなディーゼルエンジンは、直接噴射式、例えば、回転ポンプ、直列ポンプ、ユニットポンプ、電子ユニットインジェクター、もしくはコモンレール式、または間接噴射式であり得る。それは、高負荷または低負荷ディーゼルエンジンであり得る。
【００３１】
本発明に従い、燃料インジェクター堆積物、特に、インジェクター内部堆積物（ＩＩＤ）またはディーゼルインジェクター内部堆積物（ＩＤＩＤ）を低減する目的のためのディーゼル燃料配合物における少なくとも１つのＣ７−Ｃ３０アルカンの使用が提供される。本発明のこの態様の文脈において、用語「低減させる」は、ゼロまでの低減を含む、何らかの程度の低減を包含する。低減は、例えば、本発明に従い、少なくとも１つのＣ７−Ｃ３０アルカンを追加する前に、類似の状況において使用するための（ｉｉ）さらなる燃料成分を含む類似のディーゼル燃料配合物によって生成される１０％以上、または２５もしくは５０もしくは７５もしくは９０％以上の燃料インジェクター堆積物であり得る。
【００３２】
本発明に従い、フィルター堆積物を低減する目的のためのディーゼル燃料配合物における少なくとも１つのＣ７−Ｃ３０アルカンの使用が提供される。本発明のこの態様の文脈において、用語「低減させる」は、ゼロまでの低減を含む、何らかの程度の低減を包含する。低減は、例えば、本発明に従い、少なくとも１つのＣ７−Ｃ３０アルカンを追加する前に、類似の状況において使用するための（ｉｉ）さらなる燃料成分を含む類似のディーゼル燃料配合物によって生成される１０％以上、または２５もしくは５０もしくは７５もしくは９０％以上のフィルター堆積物であり得る。
【００３３】
別の態様に従い、本発明は、燃費を上昇させる目的のためのディーゼル燃料配合物における少なくとも１つのＣ７−Ｃ３０アルカンの使用を提供する。本発明のこの態様の文脈において、用語「増加させる」は、何らかの程度の増加を包含する。増加は、例えば、本発明に従い、少なくとも１つのＣ７−Ｃ３０アルカンを追加する前に、類似の状況において使用するための（ｉｉ）さらなる燃料成分を含む類似のディーゼル燃料配合物によって生成される１０％以上、または２５もしくは５０もしくは７５もしくは９０％以上の燃費であり得る。
【００３４】
本発明のまたさらなる態様に従い、排出を低減するためのディーゼル燃料組成物における少なくとも１つのＣ７−Ｃ３０アルカンの使用が提供される。本明細書で使用されるとき、用語「排出」は、一酸化炭素、窒素酸化物、炭化水素、及び微粒子等の排気管排出を意味する。本発明のこの態様の文脈において、用語「低減させる」は、ゼロまでの低減を含む、何らかの程度の低減を包含する。低減は、例えば、本発明に従い、Ｃ７−Ｃ３０アルカンを追加する前に、類似の状況において使用するための（ｉｉ）さらなる燃料成分を含む類似のディーゼル燃料配合物によって生成される１０％以上、または２５もしくは５０もしくは７５もしくは９０％以上の排出であり得る。
【００３５】
本発明のまたさらなる態様に従い、電力損失を低減させるためのディーゼル燃料組成物における少なくとも１つのＣ７−Ｃ３０アルカンの使用が提供される。本発明のこの態様の文脈において、用語「低減させる」は、ゼロまでの低減を含む、何らかの程度の低減を包含する。低減は、例えば、本発明に従い、少なくとも１つのＣ７−Ｃ３０アルカンを追加する前に、類似の状況において使用するための（ｉｉ）さらなる燃料成分を含む類似のディーゼル燃料配合物によって生成される１０％以上、または２５もしくは５０もしくは７５もしくは９０％以上の電力損失であり得る。
【００３６】
本発明のまたさらなる態様に従い、運転性を向上させるためのディーゼル燃料組成物における少なくとも１つのＣ７−Ｃ３０アルカンの使用が提供される。本明細書で使用されるとき、用語「運転性」は、例えば、始動する能力及び／または失速する傾向及び／または滑らかな起動の傾向を意味する。この文脈における「不十分な運転性」は、例えば、不十分な始動及び／または粗い起動及び／またはエンジン失速を意味する。本発明のこの態様の文脈において、用語「向上させる」は、運転性の何らかの程度の向上を包含する。運転性の向上は、例えば、より迅速な始動及び／またはより滑らかな起動及び／またはより少ないエンジン失速を意味する。向上は、例えば、本発明に従い、Ｃ７−Ｃ３０アルカンを追加する前に、類似の状況において使用するための（ｉｉ）さらなる燃料成分を含む類似のディーゼル燃料配合物によって生成される１０％以上、または２５もしくは５０もしくは７５もしくは９０％以上の運転性であり得る。
【００３７】
本発明の文脈において、ディーゼル燃料配合物における少なくとも１つのＣ７−Ｃ３０アルカンの「使用」は、典型的には、１つ以上の他のディーゼル燃料成分とのブレンド（すなわち、物理的混合物）として、配合物中に少なくとも１つのＣ７−Ｃ３０アルカンを取り込むことを意味する。Ｃ７−Ｃ３０アルカンは、従来は、配合物で起動するエンジンまたは他のシステム内に取り込まれる。代わりに、または加えて、Ｃ７−Ｃ３０アルカンの使用は、典型的には、配合物をエンジンの燃焼室に導入することによって、Ｃ７−Ｃ３０アルカンを含有するディーゼル燃料配合物で、燃料消費システム、典型的には、内燃エンジンを起動することを伴い得る。
【００３８】
上記の方法におけるＣ７−Ｃ３０アルカンの「使用」は、ディーゼル燃料配合物におけるその使用の説明書と一緒にＣ７−Ｃ３０アルカンを供給して、本発明の態様のうちのいずれかの目的、例えば、燃料インジェクター堆積物を低減すること、または燃費を上昇させることを達成することを包含する。
【００３９】
本明細書の説明及び特許請求の範囲を通して、「含む（ｃｏｍｐｒｉｓｅ）」及び「含有する（ｃｏｎｔａｉｎ）」という単語ならびにこれらの単語の変形、例えば、「含んでいる（ｃｏｍｐｒｉｓｉｎｇ）」及び「含む（ｃｏｍｐｒｉｓｅｓ）」は、「含むがこれらに限定されない」ことを意味し、他の部分、添加剤、成分、整数、またはステップを除外しない。さらに、単数形は、文脈上他に要求されない限り、複数形を包含し、特に、不定冠詞が使用される場合、本明細書は、文脈上他に要求されない限り、複数ならびに単数を考慮すると理解されるべきである。
【００４０】
本発明の各態様の好ましい特徴は、他の態様のいずれかと関連して説明される通りであり得る。本発明の他の特徴は、以下の実施例から明らかとなろう。一般的に言えば、本発明は、本明細書に開示されている特徴（添付の特許請求の範囲及び図面を含む）のうちの何らかの新規の１つまたは何らかの新規の組み合わせに及ぶ。したがって、本発明の特定の態様、実施形態、または実施例と関連して説明される特徴、整数、特性、化合物、化学的部分、または基は、両立しない場合を除き、本明細書に記載される何らかの他の態様、実施形態、または実施例に適用可能であると理解されるべきである。さらに、別途明記されない限り、本明細書に開示される何らかの特徴は、同一または同様の目的を果たす代替的な特徴で置き換えられ得る。
【００４１】
本発明は、以下の非限定的な例を参照してさらに説明される。
【００４２】
実施例１
圧縮着火エンジンの燃料噴射機器における微小気泡の崩壊が、どのように煤煙様の小粒子を発生させるかの洞察を示すために、ディーゼル燃料の音響キャビテーションを伴う研究室での実験を使用した。これらの粒子は、閉塞された燃料フィルター及びインジェクター内部堆積物の問題に関連していると考えられる。
【００４３】
音響化学の分野は、流体中に空洞を発生させ、化学反応を促進するために以前から超音波を使用している。ディーゼル燃料が、圧縮着火の乗り物の高圧燃料噴射機器における流体力学的キャビテーション中に劣化する様式をシミュレートするために、このアプローチを本発明の実施例において採用した。
【００４４】
キャビテーションは、液体の圧力が、その蒸気圧を下回る領域におけるガス気泡の形成である。これは、ディーゼル燃料が、開口部にわたって圧力低下を受けるときか、または高速移動の流れが鋭い角を曲がるときに生じ得る。発生した起泡が、高い周囲圧力に戻るときに、それらは、崩壊し、極端な温度及び圧力の局所を生成する。
【００４５】
流体キャビテーションに関連付けられる２つの主要なパラメータ：
１．空洞形成の程度（すなわち、発生した気泡の数）
２．気泡崩壊の強度（これは、崩壊の速度ならびに発生した温度及び圧力の大きさに関連する）。
【００４６】
ＶＣＸ  ５００超音波プロセッサ（例えば、Ｓｏｎｉｃｓ  Ｍａｔｅｒｉａｌｓ  Ｉｎｃ．）及びジャケット付きガラスビーカー内に含有される５０ｍＬ試料の炭化水素に超音波を伝達する１３ｍｍ拡張ホーンを用いて、超音波処理実験を行った。冷水（５℃）を超音波処理中にジャケットに通して、液体炭化水素をその引火点の下に保つ。乾燥空気を、燃料の表面上に送風し、反応槽の内側に凝縮がないこと、及びＰＴＦＥ蓋が飛び跳ねを防止することを確実にする。装置全体を、絶縁ボックス（安全カットアウト機構を装着）内に収容して、音響ノイズを低減する。
【００４７】
超音波を、２０ｋＨｚの周波数で生成し、プロセッサの振幅が、６５％に設定されているとき、炭化水素へのエネルギーの伝達は、６ｋＪ  ｍＬ−１ｈ−１で生じる。プローブは、チタン合金（Ｔｉ６Ａｌ−４Ｖ）で作製され、９０％チタン、６％アルミニウム、及び４％バナジウムから成る。この材料は、キャビテーション侵食の影響を受けやすく、また、超音波処理中に変色する。プローブは、各実験の間に炭化ケイ素紙上で磨き、先端を滑らかかつ光沢のある表面として維持する。
【００４８】
超音波プロセッサで振幅を６５％に設定し、カットアウト温度を５５℃にし、かつ超音波処理する炭化水素の表面上に乾燥空気を送風し、全ての実験を行った。
【００４９】
典型的な実験において、５０ｍＬの１−メチルナフタレン（９５％純度、例えば、Ａｌｄｒｉｃｈ）を、１時間超音波処理し、その時間の間、煤煙様の炭素粒子の分散の蓄積に起因して、炭化水素の色が黒くなる。１−メチルナフタレンを、５０ｍＬのｎ−ヘプタンと混合し、４，０００ｒｐｍで２０分間回転させ、遠心分離管の底に堆積物を沈降させる。この試料を０．７μｍ紙を通して濾過し、その後、空洞に誘導された堆積物の質量を重量測定で判定することを可能にする。
【００５０】
一連の炭化水素（表１に記載のような）は、Ｓｉｇｍａ−Ａｌｄｒｉｃｈから供給し、超音波処理の準備のために０．７μｍ紙を通して濾過した。１−メチルナフタレンを、参照燃料として使用して、以下の条件下で発生した堆積物の質量のベースラインレベルを定めた。
５０ｍＬ燃料
１時間の超音波処理時間
６５％振幅
５５℃カットオフ温度
燃料の表面上の乾燥空気の送風
【表１】
0006751396.tif 000002
【００５１】
その後、１−メチルナフタレンの試料を、表１に列挙した１、２、及び３％ｖの炭化水素で調製した。燃料を２つのブロックの試験で超音波処理した。
ブロック１：１〜３％ｖのｎ−オクタンまたはｎ−デカンとともに、１−メチルナフタレン及び１−メチルナフタレン
ブロック２：１〜３％ｖのｎ−ドデカン、テトラデカン、ヘキサデカン、エチルベンゼン、ｎ−プロピルベンゼン、インダン、またはインデンとともに、１−メチルナフタレン及び１−メチルナフタレン。
【００５２】
各場合において、１−メチルナフタレンを複数回行って、ベースライン結果を定めた。全ての燃料を、超音波処理プローブの性能の何らかのドリフトに備えて無作為化試験順序で行ったが、しかしながら、エネルギー送達は、実験の経過にわたって一貫していた。
【００５３】
キャビテーション後に発生した堆積物の質量を、燃料試料ごとに測定した。キャビテーションによって生成された堆積物の質量の形でのキャビテーションの影響の詳細を、表２及び表３に示す。表３はまた、添加されたＣ７−Ｃ３０アルカンのそれぞれによって提供される堆積物の質量の％変化の詳細も示す（負の数は、堆積物の質量の％低減）。
【表２】
0006751396.tif 000003
【表３】
0006751396.tif 000004
【００５４】
考察
芳香族炭化水素（インダン、インデン、ｎ−プロピルベンゼン、及びエチルベンゼン）は、堆積物の質量に限定された影響がある。対照的に、パラフィン系炭化水素は、堆積物の量を低減させ、この傾向は、アルカン鎖長がより短くなるにつれてより明白である。概して、堆積物形成の抑制は、１−メチルナフタレン中のアルカンのブレンド比とともに増加する。
出願時の特許請求の範囲の内容を以下に記載する。
［１］
燃料インジェクター堆積物、特に、燃料インジェクター内部堆積物を低減する目的のためのディーゼル燃料配合物における少なくとも１つのＣ７−Ｃ３０アルカンの使用。
［２］
前記ディーゼル燃料配合物は、さらなるディーゼル燃料成分を含む、前記１に記載の使用。
［３］
前記Ｃ７−Ｃ３０アルカンは、０．１容量％以上の濃度で存在する、前記１または２に記載の使用。
［４］
前記Ｃ７−Ｃ３０アルカンは、最大９０容量％以上の濃度で存在する、前記１〜３のいずれかに記載の使用。
［５］
前記さらなるディーゼル燃料成分は、７０容量％以上の濃度で存在する、前記１〜４のいずれかに記載の使用。
［６］
前記さらなるディーゼル燃料成分は、最大９８容量％以上の濃度で存在する、前記１〜５のいずれかに記載の使用。
［７］
前記Ｃ７−Ｃ３０アルカンは、Ｃ８−Ｃ１８アルカンである、前記１〜６のいずれかに記載の使用。
［８］
前記Ｃ７−Ｃ３０アルカンは、Ｃ８−Ｃ１２アルカンである、前記１〜７のいずれかに記載の使用。
［９］
前記Ｃ７−Ｃ３０アルカンは、Ｃ１０−Ｃ１２アルカンである、前記１〜７のいずれかに記載の使用。
［１０］
フィルター堆積物を低減する目的のためのディーゼル燃料配合物における少なくとも１つのＣ７−Ｃ３０アルカンの使用。
［１１］
燃費を上昇させる目的のためのディーゼル燃料配合物における少なくとも１つのＣ７−Ｃ３０アルカンの使用。
［１２］
電力損失を低減する目的のためのディーゼル燃料配合物における少なくとも１つのＣ７−Ｃ３０アルカンの使用。
［１３］
運転性を向上させる目的のためのディーゼル燃料配合物における少なくとも１つのＣ７−Ｃ３０アルカンの使用。